Podtech/llm-jp-corpus-v4-ja_patent huggingface dataset:
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
薬剤投与装置に更新を提供するための方法であって、当該方法は、
薬剤投与装置に利用可能な１つ以上の更新ファイルに関する更新メッセージを薬剤投与装置に送信することであって、更新メッセージがマニフェストを含み、マニフェストが薬剤投与装置に利用可能な更新ファイルの場所、更新ファイルバージョン情報、更新ファイル整合性確認情報を含むこと、
薬剤投与装置で更新メッセージを受信すること、
薬剤投与装置が薬剤を投与するために使用されている間、更新メッセージによって識別される１つ以上の更新ファイルをダウンロードすること、
更新ファイル整合性確認情報を使用して、１つ以上の更新ファイルが正常にダウンロードされたことを確認すること、
将来の時点でのインストールのために薬剤投与装置上に１つ以上の更新ファイルを保存すること、
薬剤投与装置のユーザーにプロンプトして薬剤投与装置を更新すること、および
ユーザーが更新プロンプトを受け入れると、薬剤投与装置に１つ以上の更新ファイルをインストールすることを含む、方法。
【請求項２】
更新が複数の薬剤投与装置に提供され、当該方法にはさらに、
更新される１つ以上の薬剤投与装置を選択すること、
選択された薬剤投与装置でメッセージを受信することを含む、請求項１に記載の方法。
【請求項３】
１つ以上の薬剤投与装置が、装置の物理的場所、装置のモデル、装置のタイプ、および装置が使用される方法の１つ以上に基づいて選択される、請求項２に記載の方法。
【請求項４】
ダウンロードされた更新ファイルが薬剤投与装置の記憶場所に保存され、記憶場所にはさらに、更新される更新ファイルの１つ以上の以前のバージョンも保存される、請求項１に記載の方法。
【請求項５】
更新ファイルが、更新された薬剤ライブラリおよび更新された装置のソフトウェアの１つ以上を含む、または、
更新ファイルが、更新プロセスの調整のために使用されるスクリプトを含む、請求項１に記載の方法。
【請求項６】
メッセージが送信され、更新ファイルが通信ネットワークを使用して取得される、または、
メッセージが送信され、更新ファイルが１つ以上の携帯型記憶装置を使用する薬剤投与装置によって取得される、請求項１に記載の方法。
【請求項７】
更新ファイル整合性確認情報が、チェックサムを含む、請求項１に記載の方法。
【請求項８】
サーバーにステータスメッセージを提供し、ステータスメッセージが更新のダウンロードおよびインストールに関係するものであることをさらに含む、請求項１に記載の方法。
【請求項９】
薬剤投与装置で受信されたメッセージが更新ファイルの場所を含む、または、
薬剤投与装置で受信されたメッセージが当該装置に固有のメッセージである、請求項１に記載の方法。
【請求項１０】
薬剤投与装置が少なくとも１つの点滴ポンプを含む、請求項１に記載の方法。
【請求項１１】
医療装置システムであって、
サーバーと、
通信ネットワークと、
通信ネットワークを介してサーバーと通信する複数の医療装置で、複数の医療装置はそれぞれ保存場所および医療装置の動作を制御するための制御ユニットを有し、制御ユニットは、
サーバーから更新メッセージを受信するように構成され、更新メッセージがマニフェストを含み、マニフェストが医療装置に利用可能な更新ファイルの場所、更新ファイルバージョン情報、および更新ファイル整合性確認情報を含み、
医療装置が薬剤を投与するのに使用されている間、サーバーから受信される更新メッセージに応じて更新ファイルをプルするように構成され、
更新ファイル整合性確認情報を使用して、更新ファイルが正常にダウンロードされたことを確認するように構成され、
将来の時点でのインストールのために医療装置上に更新ファイルを保存するように構成され、
それぞれの医療装置のユーザーにプロンプトしてそれぞれの医療装置を更新するように構成され、制御ユニットは、ユーザーによる更新プロンプトの受け入れ次第、ダウンロードされた更新ファイルのインストールを管理するように構成される医療装置とを備える、医療装置システム。
【請求項１２】
医療装置システムが、ユーザーが更新される１つ以上の医療装置を選択できるように構成される、請求項１１に記載の医療装置システム。
【請求項１３】
医療装置が、装置の物理的場所、装置のモデル、装置のタイプ、および装置が使用される方法の１つ以上に基づいて選択される請求項１２に記載の医療装置システム。
【請求項１４】
各それぞれの記憶場所が、ダウンロードされた更新ファイルおよび更新されるファイルの１つ以上の以前のバージョンを保存する、または、
更新ファイルが、更新された薬剤ライブラリおよび更新された装置のソフトウェアの１つ以上を含む、請求項１１に記載の医療装置システム。
【請求項１５】
更新ファイルの各それぞれの更新ファイルが、更新プロセスの調整のために使用されるスクリプトを含む、または、
制御ユニットが、サーバーにステータスメッセージを提供するよう構成され、ステータスメッセージが更新ファイルのダウンロードおよびインストールに関係している、または、
複数の医療装置が少なくとも１つの点滴ポンプを含む、請求項１４に記載の医療装置システム。
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
信頼できるセンター（ＴＣ）により、ユーザ（ＵＴ１，ＵＴ２）の個人データへのアクセスを制御する方法であって、
前記信頼できるセンターは、少なくとも１つのデータベース（ＴＤＢ）を有し、特定のあるユーザ用に、個人データと、前記個人データに関連するアクセス条件とのための記憶場所を有し、前記方法は、
・ユーザが、その個人データを前記信頼できるセンター（ＴＣ）の前記データベース（ＴＤＢ）中に読み込ませ、かつ前記個人データにアクセス条件を割り当てる工程であって、前記個人データは、２つの異なるアクセス条件を有する少なくとも２つのカテゴリーに分けられ、各カテゴリーはユーザ値に関連付けられる、工程と、
・第三者（ＴＰＷＳ）が、前記信頼できるセンター（ＴＣ）に、複数のユーザ（ＵＴ）の前記個人データへのアクセスを要求する工程であって、前記要求は検索基準を有する、工程と、
・前記検索基準に合う第１ユーザセットを決定するために、前記信頼できるセンター（ＴＣ）が、前記複数のユーザの前記個人データに関する前記検索基準を実行する工程とを含み、
前記データベース（ＴＤＢ）が、少なくとも１つのカウンターを有する管理データを更に有し、
・前記検索基準に合う前記第１ユーザセットの量を示す情報と、前記第１セットの各ユーザの前記ユーザ値の合計を前記第三者（ＴＰＷＳ）に戻す工程と、
・前記第三者が、前記合計の全て又は一部分を承認する工程であって、これにより、前記第１セットの全て又は一部分を含みうる第２ユーザセットを定義する工程と、
・前記合計が抽出されたユーザの累積値を網羅する前記第２ユーザセットの前記個人データを戻す工程と、
・前記第２ユーザセットの前記カウンターを、彼らの各個人データの値の内容で更新する工程と
を更に含むことを特徴とする方法。
【請求項２】
前記基準に合う前記第１ユーザセットの量を示す前記情報を前記第三者（ＴＰＷＳ）に戻す工程が、
・同じユーザ値を有する前記第１ユーザの全てのユーザをグループ化する工程と、
・前記第三者（ＴＰＷＳ）に、グループ毎のユーザの量を送信する工程と
を含む請求項１記載の方法。
【請求項３】
信頼できるセンター（ＴＣ）により、ユーザの個人データへのアクセスを制御する方法であって、
前記信頼できるセンターは、少なくとも１つのデータベース（ＴＤＢ）を有し、特定のあるユーザ（ＵＴ）用に、個人データと、前記個人データに関連するアクセス条件とのための記憶場所を有し、前記方法は、
・ユーザが、その個人データを前記信頼できるセンター（ＴＣ）の前記データベース（ＴＤＢ）中に読み込ませ、かつ前記個人データにアクセス条件を割り当てる工程を含み、
前記データベース（ＤＢ）が、少なくとも１つのカウンターを有する管理データを更に有し、前記個人データは、２つの異なるアクセス条件を有する少なくとも２つのカテゴリーに分けられ、各カテゴリーはユーザ値に関連付けられ、本方法は、
・第三者（ＴＰＷＳ）が、前記信頼できるセンター（ＴＣ）に、複数のユーザの前記個人データへのアクセスを要求する工程であって、前記要求は検索基準及び第三者の値を有する、工程と、
・前記ユーザ値が前記第三者の値以下であるとの前記検索基準に合う第１ユーザセットを決定するために、前記信頼できるセンター（ＴＣ）が、前記複数のユーザの前記個人データに関する前記検索基準を実行する工程と、
・前記第１ユーザセットの前記個人データを戻す工程と、
・前記第１ユーザセットの前記カウンターを、彼らの各個人データの値の内容で更新する工程と
を更に含むことを特徴とする方法。
【請求項４】
前記第三者（ＴＰＷＳ）は、その要求と共に限界値を送信し、第２ユーザセットは、前記第２セットの各ユーザのユーザ値の合計が前記限界値を上回らないように、前記第１ユーザセットから選択される請求項３記載の方法。
【請求項５】
前記第三者（ＴＰＷＳ）の要求は、フィルタリングデータを有し、前記個人データを送信する工程は、前記第三者のウェブサイトに前記個人データを送信する工程の前に、前記フィルタリングデータに応じて前記個人データをフィルタリングする工程を含む
請求項１〜４のいずれか１項に記載の方法。
【請求項６】
・少なくとも個人データのいくつかを検証する工程と、
・前記個人データの検証が成功した場合に、異なるユーザ値を割り当てる工程と
を含む
請求項１〜５のいずれか１項に記載の方法。
【手続補正２】
【補正対象書類名】明細書
【補正対象項目名】００１７
【補正方法】変更
【補正の内容】
【００１７】
提案するのは、信頼できるセンター（ＴＣ）により、ユーザ（ＵＴ１，ＵＴ２）の個人データへのアクセスを制御する方法であって、信頼できるセンター（ＴＣ）は、少なくとも１つのデータベース（ＴＤＢ）を有し、特定のあるユーザ用に、個人データと、個人データに関連するアクセス条件とのための記憶場所を有し、この方法は、
・ユーザが、その個人データを信頼できるセンター（ＴＣ）のデータベース（ＴＤＢ）中に読み込ませ、かつ前記個人データにアクセス条件を割り当てる工程であって、前記個人データは、２つの異なるアクセス条件を有する少なくとも２つのカテゴリーに分けられ、各カテゴリーはユーザ値に関連付けられる、工程と、
・第三者（ＴＰＷＳ）が、信頼できるセンター（ＴＣ）に、複数のユーザ（ＵＴ）の個人データへのアクセスを要求する工程であって、前記要求は検索基準を有する工程と、
・検索基準に合う第１ユーザセットを決定するために、信頼できるセンター（ＴＣ）が、複数のユーザの個人データに関する検索基準を実行する工程とを含み、
前記データベース（ＴＤＢ）が、少なくとも１つのカウンターを有する管理データを更に有し、
・検索基準に合う第１ユーザセットの量を示す情報と、第１セットの各ユーザのユーザ値の合計を第三者（ＴＰＷＳ）に戻す工程と、
・第三者が、合計の全て又は一部分を承認する工程であって、これにより、第１セットの全て又は一部分を含みうる第２ユーザセットを定義する工程と、
・合計が抽出されたユーザの累積値を網羅する第２ユーザセットの個人データを戻す工程と、
・第２ユーザセットのカウンターを、彼らの各個人データの値の内容で更新する工程と
を更に含む。
【誤訳訂正書】
【提出日】平成27年10月22日(2015.10.22)
【誤訳訂正１】
【訂正対象書類名】特許請求の範囲
【訂正対象項目名】請求項１０
【訂正方法】変更
【訂正の内容】
【請求項１０】
２００μｍの深さまで、圧縮残留応力の最小値は４００〜５００ＭＰａである、請求項８または９記載の軌道エレメント。
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
コンピュータにより処理される方法であって、
実行可能ファイルに関連するファイルメタデータセットに基づいてハッシュ識別子を算出するステップと、
前記ハッシュ識別子を利用して前記実行可能ファイルを識別するステップと
を有する方法。
【請求項２】
クライアントサポートサーバにおいて、前記ファイルメタデータセットを有するクラッシュテレメトリレポートを受信するステップ
を更に有する請求項１に記載の方法。
【請求項３】
前記ハッシュ識別子に基づいてクラッシュデータセットをベンダに提供するステップ
を更に有する請求項１に記載の方法。
【請求項４】
ベンダサポートサーバにおいて、前記ファイルメタデータセットをベンダから受信するステップ
を更に有する請求項１に記載の方法。
【請求項５】
クラッシュデータセットとともに前記ハッシュ識別子をクライアントサポートサーバから受信するステップ
を更に有する請求項１に記載の方法。
【請求項６】
前記ハッシュ識別子に関連するベンダにクラッシュデータセットを提供するステップ
を更に有する請求項１に記載の方法。
【請求項７】
前記ファイルメタデータセットがコンパチブルフォーマットにおけるものであることを確認するために前記ファイルメタデータセットを確認するステップ
を更に有する請求項１に記載の方法。
【請求項８】
１つ以上のプロセッサに方法を実行させる命令群を有するコンピュータプログラムであって、前記方法は、
ベンダサポートサーバにおいて、実行可能ファイルに関するファイルメタデータセットをベンダから受信するステップと、
前記ファイルメタデータセットに基づいてベンダのハッシュ識別子を算出するステップと、
前記ハッシュ識別子を利用して前記実行可能ファイルを識別するステップと
を有する、コンピュータプログラム。
【請求項９】
実行可能ファイルに関するファイルメタデータセットを受信する通信インタフェースと、
前記ファイルメタデータセットに基づいてハッシュ識別子を算出するプロセッサと、
前記実行可能ファイルを前記ハッシュ識別子に関連付けるメモリと
を有するクライアントサポートサーバ。
【請求項１０】
前記ファイルメタデータセットが、ベンダに提供されるクラッシュデータセットとともにクラッシュテレメトリレポート内にある、請求項９に記載のクライアントサポートサーバ。
【手続補正２】
【補正対象書類名】明細書
【補正対象項目名】発明の名称
【補正方法】変更
【補正の内容】
【発明の名称】処理方法、コンピュータプログラム及びクライアントサポートサーバ
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
イオン液体を含んでいる電解質を含む電気化学式ガスセンサであって、
前記イオン液体は、少なくとも１つの解離可能な水素原子を備える少なくとも１つのプロトン性アンモニウムカチオンを含み、
前記少なくとも１つのプロトン性アンモニウムカチオンは、脱プロトン化によって標的ガスと反応するように作用する、電気化学式ガスセンサ。
【請求項２】
前記標的ガスが、アンモニア及びアミンからなる群より選択される少なくとも１種であり、前記ガスセンサが、アンモニア及びアミンからなる群より選択される少なくとも１つの標的ガスを検出するように構成されている、請求項１に記載のガスセンサ。
【請求項３】
前記少なくとも１つのプロトン性アンモニウムカチオンが、約９．２５より小さいｐＫａ値を有する、請求項１に記載のガスセンサ。
【請求項４】
前記少なくとも１つのプロトン性アンモニウムカチオンが、一置換アンモニウムカチオン、二置換アンモニウムカチオン及び三置換アンモニウムカチオンからなる群より選択される、請求項１に記載のガスセンサ。
【請求項５】
前記少なくとも１つのプロトン性アンモニウムカチオンが、少なくとも１つの電子吸引基を有する少なくとも１つの置換基を含む、請求項１に記載のガスセンサ。
【請求項６】
前記少なくとも１つの電子吸引基を有する少なくとも１つの置換基が、分枝Ｃ１〜Ｃ２０アルキル基、分枝でないＣ１〜Ｃ２０アルキル基、少なくとも１つのアリール基及び／または少なくとも１つのヘテロアリール基からなる群より選択される少なくとも１つの電子吸引基を含む、請求項５に記載のガスセンサ。
【請求項７】
前記少なくとも１つのアルキル基、アリール基及び／またはヘテロアリール基が、少なくとも１つのアルキル基、アリールもしくはヘテロアリール基のＣ１原子、Ｃ２原子もしくはＣ３原子において、または該アリール基及び／もしくはヘテロアリール基の他の任意の位置において、少なくとも１つの電子吸引基により置換されている、請求項６に記載のガスセンサ。
【請求項８】
前記少なくとも１つの電子吸引基が、ＯＨ；ハロゲン；シアノ；イソシアノ；ハロゲン置換アルキル；特にハロゲン置換メチル基；チオシアノ；イソチオシアノ；アミン；アジド；チオール；アルコキシ；シクロアルコキシ；ＨＯ置換、Ｆ置換及び無置換のＣ１〜Ｃ１２アルコキシ；トリフルオロメタンスルホナート（トリフラート）；ノナフルオロブタンスルホナート（ノナフラート）；ｐ−トルオイルスルホナート（トシラート）；ｐ−ブロモベンゼンスルホナート（ブロシラート）；ｐ−ニトロベンゼンスルホナート（トシラート）：メタンスルホナート（メシラート）；及び２，２，２−トリフルオロエタンスルホナート（トレシラート）からなる群より選択される、請求項５に記載のガスセンサ。
【請求項９】
前記少なくとも１つの電子吸引基が、ＯＨ；ハロゲン；少なくとも１つのハロゲンにより置換されたメチル基；特にハロゲン三置換メチル基；及びシアノからなる群より選択される、請求項５に記載のガスセンサ。
【請求項１０】
前記少なくとも１つのプロトン性アンモニウムカチオンが、ジ（２−ヒドロキシエチル）アンモニウム、（２−トリフルオロエチル）アンモニウム及びジ（シアノメチル）アンモニウムからなる群より選択される、請求項１に記載のガスセンサ。
【請求項１１】
前記イオン液体が、硝酸アニオン、亜硝酸アニオン、トリフルオロ酢酸アニオン、テトラフルオロボロン酸アニオン、ヘキサフルオロリン酸アニオン、ポリフルオロアルカンスルホン酸アニオン、ビス（トリフルオロメチルスルホニル）イミドアニオン、アルキル硫酸アニオン、アルカンスルホン酸アニオン、酢酸アニオン及びフッ素化アルカン酸アニオンからなる群より選択される少なくとも１つのアニオンを含む、請求項１に記載のガスセンサ。
【請求項１２】
前記イオン液体が、ジ（２−ヒドロキシエチル）アンモニウム・トリフルオロ酢酸塩、（２−トリフルオロエチル）アンモニウム硝酸塩及びジ（シアノメチル）アンモニウム硝酸塩からなる群より選択される少なくとも１つを含む、請求項１に記載のガスセンサ。
【請求項１３】
前記電解質が固体に吸収されており、前記固体が、紛体状ＳｉＯ2系固体及び繊維状ＳｉＯ2系固体からなる群より選択される少なくとも１つを含む、請求項１に記載のガスセンサ。
【請求項１４】
前記電解質が、有機添加物、金属有機添加物及び無機添加物からなる群より選択される少なくとも１つの添加物を含んでいる添加物成分をさらに含む、請求項１に記載のガスセンサ。
【請求項１５】
請求項１〜１４のいずれか１項に記載のガスセンサを用いた標的ガスの検知方法であって、
電気化学式センサ中にイオン液体を含む電解質を提供することを含み、
前記イオン液体は、少なくとも１つの解離可能な水素原子を備える少なくとも１つのプロトン性アンモニウムカチオンを含み、
前記少なくとも１つのプロトン性アンモニウムカチオンは、脱プロトン化によって、標的ガスと、特にアンモニア及びアミンと反応するように作用する、標的ガスの検知方法。
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
互いに向き合い、且つ折畳み可能な部分によって相互接続された第１の取付け部分および第２の取付け部分を含んだクリップ部材を具備した骨固定のためのシステムであって、
前記クリップ部材は骨の上に配置されて、該骨が前記クリップ部材を通じて前記クリップ部材の貫通軸に沿って延びるように構成されており、
前記クリップ部材は、前記貫通軸に直交した中央面を形成しており、
前記取付け部分が互いに向かって付勢された場合に、前記クリップ部材は前記折畳み可能な部分において変形されて、前記折畳み可能な部分の少なくとも１つの領域と前記中央面との間の距離を変化させるように構成されている、骨固定のためのシステム。
【請求項２】
前記折畳み可能な部分は、前記取付け部分が互いにに向かって付勢された場合に、前記貫通軸に対して横向の、１つ以上の軸の周りに曲げられるように構成されている、請求項１に記載のシステム。
【請求項３】
前記折畳み可能な部分は、前記取付け部分が互いにに向かって付勢された場合に、複数の予め定義された部位で曲げられるように構成されている、請求項１または２に記載のシステム。
【請求項４】
前記折畳み可能な部分は一対の細長いウェブ部材を含み、各ウェブ部材は前記第１の取付け部分を前記第２の取付け部分に接続しており、前記取付け部分が互いにに向かって付勢された場合に、各ウェブ部材は曲げられる、請求項１〜３のいずれか一項に記載のシステム。
【請求項５】
前記第１の取付け部分および第２の取付け部分は、それぞれ第１のアパーチャおよび第２のアパーチャを形成しており、前記第１のアパーチャおよび第２のアパーチャは、同じ線形の締結具の領域を受け入れるように構成されている、請求項１〜４のいずれか一項に記載のシステム。
【請求項６】
前記クリップ部材は、架橋部分を備えた固定デバイスを含み、前記架橋部分は、前記第１の取付け部分が前記骨に固定された後に、前記第１の取付け部分から前記骨に沿って延びるように構成されている、請求項１〜５のいずれか一項に記載のシステム。
【請求項７】
前記第１の取付け部分、第２の取付け部分、および折畳み可能な部分は、各々が互いに一体に形成されている、請求項１〜６のいずれか一項に記載のシステム。
【請求項８】
前記第１および第２の取付け部分の少なくとも１つが、長軸を形成すると共に、前記長軸を挟んで互いに向かい合わせに配設された第１の側壁領域および第２の側壁領域を備えたスロットを含み、前記第１の側壁領域は、前記スロットに沿って延在し且つ一対の頂を形成した一対の線形隆起を形成し、前記第１の側壁領域によって前記一対の頂の間に溝が形成されたシステムであって、
該システムは、ねじ山を備え且つ前記スロット内へと前進可能な締結具を具備し、前記ねじ山の一部が前記溝内に配設された第１の構成と、前記ねじ山が前記溝内に配設されるのではなく向かい合った前記一対の線形隆起の側面に位置した第２の構成と、において前記締結具を前記スロットに交換可能に付着している、請求項１〜７のいずれか一項に記載のシステム。
【請求項９】
前記クリップ部材は、前記取付け部分が互いに向かって付勢された場合に、前記折畳み可能な部分において塑性変形される、請求項１〜８のいずれか一項に記載のシステム。
【請求項１０】
前記折畳み可能な部分は、前記第１の取付け部分を前記第２の取付け部分に接続した細長いウェブ部材を含み、前記ウェブ部材と前記中央面との間の距離は、前記ウェブ部材が前記第１の取付け部分から前記第２の取付け部分へと延びた場合に変化する、請求項１〜９のいずれか一項に記載のシステム。
【請求項１１】
前記ウェブ部材は、前記第１の取付け部分と前記第２の取付け部分との間の三次元経路に沿って延びている、請求項１０に記載のシステム。
【請求項１２】
水平の前記貫通軸ならびに前記第１および第２の取付け部分の上の前記折畳み可能な部分を伴って、前記折畳み可能な部分の水平面上への直交投影は、角度を形成した非線形領域を備え、
前記折畳み可能な部分は、前記取付け部分が互いに向かって付勢された場合に変形され、前記非線形領域によって形成された前記角度は、前記直交投影に減少するように構成されている、請求項１〜１１のいずれか一項に記載のシステム。
【請求項１３】
前記折畳み可能な部分は、前記第１の取付け部分から第２の取付け部分へと延びた細長いウェブ部材を含み、
該ウェブ部材は、前記骨に面した内側面領域と、外内側面領域の反対側の外側面領域と、を備え、
前記ウェブ部材は、互いに向かいあった一対の側壁領域も備え、各側壁領域は前記内側面領域から前記外側面領域へと延びており、
前記ウェブ部材は、前記内側面領域と前記外側面領域との間の断面において、前記一対の側壁領域の間の断面における平均幅よりも大きい平均幅を有する、請求項１〜１２のいずれか一項に記載のシステム。
【請求項１４】
前記折畳み可能な部分は、前記第１の取付け部分から第２の取付け部分へと延びた細長いウェブ部材を含み、
前記ウェブ部材の前記中央面上への直交投影は、経路長を有し、前記折畳み可能な部分が変形した場合に、前記経路長は減少する、請求項１〜１３のいずれか一項に記載のシステム。
【手続補正書】
【提出日】平成27年9月7日(2015.9.7)
【手続補正１】
【補正対象書類名】明細書
【補正対象項目名】００１１
【補正方法】変更
【補正の内容】
【００１１】
鋳造後、一般にブランクを洗浄し、任意の鋳造のへりおよびばりを除去し、その配置のためにそれらを機械的に加工する；すなわち、ホイールボルト（ボルトホール丸穴）およびアクスルハブ（軸受表面）のために孔を開け、リムベッドを曲げ、リムを集中(center)させる。
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
方法であって、
ゲームのイベントに対して非同期でプレーする相手となるライバルを選択するユーザー要求を受け取るステップと、
前記ユーザー要求に応答して、選択することができる１人以上のユーザーの識別を含んでいるライバル選択ユーザー・インターフェースを表示するステップと、
前記１人以上のユーザーから選択された１人のユーザーを表すユーザー選択を受け取るステップと、
前記選択された1人のユーザーを、前記イベントに対して非同期にプレーするライバルとして使用するステップと、
前記ユーザー要求を送った前記ユーザーに応答して、前記ライバルと対抗して非同期でプレーしたときに前記ライバルを倒した場合、前記イベントを完了する前記ユーザーの終了時において通知を前記ライバルに送り、前記イベントにおいて前記ユーザーによる非同期プレーの間に前記ライバルが倒されたことを前記ライバルに知らせるステップと、
を含む、方法。
【請求項２】
請求項１記載の方法において、前記表示するステップは、
自動的に選択されたライバルの識別子が表示される第１ライバル選択ユーザー・インターフェースを表示するステップであって、前記自動的に選択されたライバルが、前記ユーザー要求を送った前記ユーザーよりも次に高い得点を有する別のユーザーか、前記ユーザー要求を送った前記ユーザーよりもある閾値量高い得点を有する別のユーザーである、ステップと、
ユーザー入力に応答して、前記イベントをプレーしたことがある複数のユーザーの識別子が表示される第２ライバル選択ユーザー・インターフェースを表示するステップと、
を含む、方法。
【請求項３】
請求項２記載の方法において、前記イベントをプレーしたことがある前記複数のユーザーの識別子は、前記１つ以上のフィルター判断基準に基づいてフィルターリングされたイベントをプレーしたことがあるユーザーの識別子である、方法。
【請求項４】
請求項３記載の方法において、前記１つ以上のフィルター判断基準が、複数のユーザー選択可能のフィルター判断基準を含み、該複数のユーザー選択可能のフィルター判断基準のうちの第１の判断基準が、前記ユーザー要求を送った前記ユーザーの友人であることを判断基準として含み、前記複数のユーザーが、前記ユーザーの友人として特定されたユーザーを含み、前記複数のユーザー選択可能のフィルター判断基準のうちの第２の判断基準が、前記ユーザー要求を送った前記ユーザーがメンバーであるクラブであること判断基準として含み、前記複数のユーザーが、前記クラブのメンバーとして特定されたユーザーを含む、方法。
【請求項５】
請求項１記載の方法において、該方法は更に、前記ユーザー要求を送った前記ユーザーに対し、前記ライバルと非同期で対抗する前記イベントのプレーにおける前記ユーザーのパフォーマンスに基づき前記ゲームによりサポートされるクレジットで報酬を提供するステップを含む、方法。
【請求項６】
請求項１記載の方法において、該方法は更に、前記通知にユーザー選択可能なリンクを含ませるステップと、前記ユーザー選択可能なリンクの選択に応答して、前記ライバルのゲームを前記イベントまでジャンプすることを通知するステップを含む、方法。
【請求項７】
システムであって、
１つ以上のプロセッサーと、
複数の命令が格納されている１つ以上のコンピューター読み取り可能媒体であって、前記複数の命令を前記１つ以上のプロセッサーによって実行すると、前記１つ以上のプロセッサーが、
ゲームのイベントに対して非同期にライバルと対抗してプレーするユーザー要求を受け取り、
前記イベントに対する前記ライバルについてのゲーム・データーであって、前記イベントにおいて以前に記録された前記ライバルのパフォーマンスと、前記ライバルのオブジェクトが当該ライバルによってカスタム化された態様を示すデーターとの双方を含むゲーム・データーを取得し、
前記ユーザーが前記イベントをプレーしている間、前記パフォーマンスのデーターに基づいて、前記ライバルによってカスタム化されたオブジェクトを再生し、
前記ユーザーが前記イベントをプレーしているときに、前記ライバルを倒す閾値量内に前記ユーザーが入ったことに応答して、前記ユーザーが前記閾値量に達したときに通知を前記ライバルに送り、前記イベントにおいて前記ユーザーによる非同期プレーの間に前記ライバルがほとんど倒されたことを前記ライバルに知らせる、
システム。
【請求項８】
請求項７記載のシステムにおいて、前記複数の命令は更に、前記１つ以上のプロセッサーに、前記ライバルによってカスタム化された前記オブジェクトおよび前記ユーザーを表すオブジェクトが近接するに連れて、前記ライバルによってカスタム化されたオブジェクトの透明度を高めさせる、システム。
【請求項９】
請求項７記載のシステムにおいて、前記ゲームは、競走ゲームを含み、前記ライバルによりカスタム化された前記オブジェクトが車両を含み、前記カスタム化が、前記ライバルにより変更された通りの前記車両の外観を含む、システム。
【請求項１０】
請求項１記載のシステムにおいて、前記複数の命令は更に、前記１つ以上のプロセッサーに、前記イベントのプレーにおける前記ユーザーのパフォーマンスに基づき前記ゲームによりサポートされるクレジットで報酬を前記ユーザーに提供させる、システム。
【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
チタン含有物品を鋳造するための鋳型組成物であって、
モノアルミン酸カルシウム、ジアルミン酸カルシウム、及びマイエナイトを含むアルミン酸カルシウムセメントと、
Ｘ線又は中性子線検出性元素と、
アルミノケイ酸塩及びアルミノケイ酸カルシウムと
を含み、
前記アルミノケイ酸塩及びアルミノケイ酸カルシウムは、５重量％未満である、
鋳型組成物。
【請求項２】
アルミン酸カルシウムセメントが、鋳型組成物が鋳型を形成するときに、約１００ミクロン未満の固有フェースコートを形成する、請求項１記載の鋳型組成物。
【請求項３】
Ｘ線又は中性子線検出性元素が、鋳型内で混合される、請求項２記載の鋳型組成物。
【請求項４】
外来フェースコートを有しない、請求項１記載の鋳型組成物。
【請求項５】
酸化物粒子をさらに含む、請求項１記載の鋳型組成物。
【請求項６】
前記酸化物粒子が、酸化アルミニウム粒子、酸化マグネシウム粒子、酸化カルシウム粒子、酸化ジルコニウム粒子、及び酸化チタン粒子の少なくとも１種を含む、請求項５記載の鋳型組成物。
【請求項７】
前記酸化物粒子が、酸化アルミニウム粒子である、請求項５記載の鋳型組成物。
【請求項８】
前記Ｘ線又は中性子線検出性元素が、イッテルビウム、ハフニウム、ガドリニウム、タングステン、トリウム、ウラニウム、イットリウム、ジスプロシウム、エルビウム、セリウム、及びそれらの組成物を含む、請求項１記載の鋳型組成物。
【請求項９】
前記Ｘ線又は中性子線検出性元素が、鋳型組成物中約１から約４重量パーセントの範囲である、請求項１記載の鋳型組成物。
【請求項１０】
チタン又はチタン合金鋳物中の表面下セラミック介在物を検出する方法であって、
アルミン酸カルシウム、アルミン酸カルシウムよりも放射線写真上濃い少なくとも１種の元素、及び液体を合わせて、スラリーを形成するステップと、
スラリーからアルミン酸カルシウム及び放射線写真上濃い元素を有する鋳型を形成するステップと、
放射線写真上濃い元素を有する鋳型にチタンアルミナイド含有金属を導入するステップと、
チタンアルミナイド含有金属を固化させて、鋳型中で物品を形成するステップと、
固化したチタンアルミナイド含有金属物品を前記鋳型から取り出すステップと、
固化したチタンアルミナイド含有金属物品を放射線写真検査にかけて、放射線写真を得るステップと、
物品上又は物品中の放射線写真上濃い元素の存在について前記放射線写真を調べるステップと
を含む方法。
【請求項１１】
物品から放射線写真上濃い元素を除去するステップをさらに含む、請求項１０記載の方法。
【請求項１２】
物品から放射線写真上濃い元素を除去するステップが、機械加工、研削、研磨、又は溶接の１つ又は複数を含む、請求項１１記載の方法。
【請求項１３】
合わせるステップが、酸化物粒子をスラリーと合わせるステップをさらに含む、請求項１０記載の方法。
【請求項１４】
前記酸化物粒子が、酸化アルミニウム粒子、酸化マグネシウム粒子、酸化カルシウム粒子、酸化ジルコニウム粒子、及び酸化チタン粒子の少なくとも１種を含む、請求項１３記載の方法。
【請求項１５】
前記酸化物粒子が、酸化アルミニウム粒子である、請求項１３記載の方法。
【請求項１６】
元素が、酸化物粒子よりも放射線写真上濃い、請求項１３記載の方法。
【請求項１７】
酸化物粒子が、中空酸化物粒子を含む、請求項１３記載の方法。
【請求項１８】
中空酸化物粒子が、中空酸化アルミニウム粒子を含む、請求項１７記載の方法。
【請求項１９】
アルミン酸カルシウムよりも放射線写真上濃い元素が、イッテルビウム、ハフニウム、ガドリニウム、タングステン、トリウム、ウラニウム、イットリウム、ジスプロシウム、エルビウム、セリウム、及びそれらの組成物を含む、請求項１０記載の方法。
【請求項２０】
チタン含有鋳造物品が、タービンブレードを含む、請求項１０記載の方法。
【請求項２１】
チタン含有鋳造物品が、チタンアルミナイドタービンブレードを含む、請求項１０記載の方法。
【請求項２２】
チタンアルミナイド含有鋳造物品中の鋳型材料介在物の存在を最小化するステップをさらに含む、請求項１０記載の方法。
【請求項２３】
鋳型組成物であって、
モノアルミン酸カルシウム、ジアルミン酸カルシウム、及びマイエナイトを含む、前記鋳型組成物の３０重量％を超えるアルミン酸カルシウムセメントと、
アルミン酸カルシウムセメントよりも放射線写真上濃い少なくとも１種の元素と、
シリカ、ナトリウム及び他のアルカリ、並びに酸化鉄及びこれらの組み合わせを含む、２％未満の不純物と
を含む鋳型組成物。
【請求項２４】
酸化物粒子をさらに含む、請求項２３記載の鋳型組成物。
【請求項２５】
放射線写真上濃い元素が、酸化物粒子よりも放射線写真上さらに濃い、請求項２４記載の鋳型組成物。
【請求項２６】
前記酸化物粒子が、酸化アルミニウム粒子、酸化マグネシウム粒子、酸化カルシウム粒子、酸化ジルコニウム粒子、及び酸化チタン粒子の少なくとも１種を含む、請求項２４記載の鋳型組成物。
【請求項２７】
酸化物粒子が、中空酸化物粒子を含む、請求項２４に記載の鋳型組成物。
【請求項２８】
中空酸化物粒子が、中空酸化アルミニウム粒子を含む、請求項２７記載の鋳型組成物。
【手続補正書】
【提出日】平成27年10月14日(2015.10.14)
【手続補正１】
【補正対象書類名】明細書
【補正対象項目名】００１４
【補正方法】変更
【補正の内容】
【００１４】
特定の状況でゴーグルの曇りを生じる厳密な原因に関係なく、ゴーグルのレンズ内面を十分加熱することが、レンズの曇りを取り除きそれ以上の曇りを防ぐ上で効果的な手段であることがわかってきた。これを受け、ゴーグルレンズの内面を能動的に加熱する種々の手段が開発されてきた。そのような手段の１つは、ゴーグルレンズの内面上におけるワイヤーまたは抵抗膜面の配置を有し、前記ワイヤーまたは抵抗膜面は、電源、例えば利用者のゴーグルのヘッドバンドまたはジャケットに搭載されたＤＣ電池に取り付けられて、レンズを加熱する上で十分な電力を供給する。そのようなゴーグルレンズ加熱方法の例は、Ｃｕｒｃｉｏの米国特許第４，８６８，９２９号「Ｅｌｅｃｔｒｉｃａｌｌｙ  Ｈｅａｔｅｄ  Ｓｋｉ  Ｇｏｇｇｌｅｓ」（電気的に加熱されたスキーゴーグル）、ＭｃＣｏｏｅｙｅらの米国特許第５，４５９，５３３号「Ｄｅｆｏｇｇｉｎｇ  Ｅｙｅ  Ｗｅａｒ」（曇り除去アイウェア）、およびＬｅｂｅｌらの米国特許出願公開第Ｓ２００９０１５１０５７号「Ｒｅｖｅｒｓｉｂｌｅ  Ｓｔｒａｐ−Ｍｏｕｎｔｉｎｇ  Ｃｌｉｐｓ  ｆｏｒ  Ｇｏｇｇｌｅｓ」（ゴーグル用リバーシブルストラップ装着クリップ）に開示されている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００９／０１５１０５７号明細書
（特許文献２）  米国特許第３，０５０，７３６号明細書
（特許文献３）  米国特許出願公開第２００２／０１５７１７５号明細書
（特許文献４）  米国特許第４，８６８，９２９号明細書
（特許文献５）  米国特許第６，７０１，５３７号明細書
（特許文献６）  米国特許第４，９４２，６２９号明細書
（特許文献７）  米国特許第５，６１７，５８８号明細書
（特許文献８）  中国実用新案第２３９７６３１号明細書
（特許文献９）  米国特許第５，８１５，２３５号明細書
（特許文献１０）  米国特許第５，４７１，０３６号明細書
（特許文献１１）  米国特許出願公開第２０１１／１２６３４５号明細書
（特許文献１２）  特開２００１―１７０１０３号公報
（特許文献１３）  特開昭６４―０６２１５６号公報  
（特許文献１４）  米国特許第４，６３８，７２８号明細書
（特許文献１５）  米国特許第４，２０９，２３４号明細書
（特許文献１６）  米国特許第７，６４８，２３４号明細書
（特許文献１７）  米国特許第７，８１０，１７４号明細書
（特許文献１８）  米国特許第７，８５６，６７３号明細書
（特許文献１９）  米国特許出願公開第２００８／０２９００８１号明細書
（特許文献２０）  米国特許出願公開第２０１１／０２２５７０９号明細書
【手続補正書】
【提出日】平成27年10月16日(2015.10.16)
【手続補正１】
【補正対象書類名】特許請求の範囲
【補正対象項目名】請求項１１
【補正方法】変更
【補正の内容】
【請求項１１】
実質的にコンタクトレンズのように形成された、眼球の特性を測定するための装置であって、
前記装置は、環状又は弧状の形であり、周辺に配置され、眼球に装着したとき前記眼球の方へ向けられた少なくとも１つの突出部を有するセンサを備え、
前記装置は、前記装置の上で閉じる瞼が、前記突出部により前記角膜をへこませるのに十分なように前記装置を変形させることができるような全体的な柔軟性を有し、
前記突出部は、高さの異なる少なくとも２つの部分を有する装置。
【手続補正２】
【補正対象書類名】特許請求の範囲
【補正対象項目名】請求項１２
【補正方法】変更
【補正の内容】
【請求項１２】
実質的にコンタクトレンズのように形成された、眼球の特性を測定するための装置であって、
前記装置は、環状又は弧状の形であり、周辺に配置され、眼球に装着したとき前記眼球の方へ向けられた突出部を有するセンサを備え、
前記装置は、前記装置の上で閉じる瞼が、前記突出部により前記角膜をへこませるに十分なように前記装置を変形させることができるような全体的な柔軟性を有し、
前記突出部は、より大きい突出部からより小さい突出部への遷移区域を生成する少なくとも１つの段差を備える側面を有する装置。
【手続補正３】
【補正対象書類名】特許請求の範囲
【補正対象項目名】請求項１３
【補正方法】変更
【補正の内容】
【請求項１３】
実質的にコンタクトレンズのように形成された、眼球の特性を測定するための装置であって、
前記装置は、環状又は弧状の形であり、周辺に配置され、眼球に装着されたとき前記眼球の方へ向けられた突出部を有するセンサを備え、
前記装置は、前記装置の上で閉じる瞼が、前記突出部により前記角膜をへこませるのに十分なように前記装置を変形させることができるような全体的な柔軟性を有し、
前記センサは少なくとも副センサに細分され、前記副センサは異なる大きさの突出部を有し、これにより瞼が前記装置の上で閉じるとき、適時にシフトされた前記副センサが前記角膜に接触する装置。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
筒状のコアリング・輸送アセンブリであって、前記コアリング・輸送アセンブリ内での回転用に構成された第１のピッチを有する第１の螺旋状構成部材を含む前記コアリング・輸送アセンブリと、
前記第１の螺旋状構成部材に直接連結され、その近位端から遠位端まで一定の曲率半径を規定する少なくとも１つの移動可能な非円錐形の切り取り要素を含む遠位の嘴状アセンブリであって、
軸を中心に回転し、
前記少なくとも１つの切り取り要素が組織をコアリングすることを可能にするように動作する少なくとも第１の開形態、及び前記少なくとも１つの切り取り要素が前記組織を通って移動してコアリングされた標本を前記組織から切除することを可能にするように動作する第２の閉形態をとるように構成されている、遠位の嘴状アセンブリと
を備える、生検装置。
【請求項２】
前記コアリング・輸送アセンブリの少なくとも一部は前記軸を中心に回転するように構成されている、請求項１の生検装置。
【請求項３】
前記遠位の嘴状アセンブリは前記コアリング・輸送アセンブリに連結されている、請求項１の生検装置。
【請求項４】
前記第１の螺旋状構成部材は、前記コアリング・輸送アセンブリ内で該コアリング・輸送アセンブリに対して差動回転するように更に構成されている、請求項１の生検装置。
【請求項５】
第２のピッチを有する第２の非回転、等回転又は差動回転螺旋状構成部材であって、前記第１の螺旋状構成部材に対して同軸に配置されている、第２の螺旋状構成部材を更に備える、請求項１の生検装置。
【請求項６】
前記遠位の嘴状アセンブリは、切除された少なくとも一つの他の標本を前記筒状のコアリング・輸送アセンブリが近位方向に輸送するのと同時に、標本を前記組織から切除するようさらに構成されている、請求項１の生検装置。
【請求項７】
前記遠位の嘴状アセンブリは第１の回転速度で回転するよう構成されており、前記筒状のコアリング・輸送アセンブリの少なくとも一部は回転可能に構成されている、請求項１の生検装置。
【請求項８】
前記筒状のコアリング・輸送アセンブリの少なくとも一部は、前記第１の回転速度とは異なる第２の回転速度で回転可能に構成されている、請求項７の生検装置。
【請求項９】
前記筒状のコアリング・輸送アセンブリは、前記第１及び第２の螺旋状構成部材の少なくとも一方とともに前記切除された標本に作用して、該切除された標本を近位方向に輸送するように構成された施条特徴を持った内面を有する中空シャフトを備える、請求項５の生検装置。
【請求項１０】
前記中空シャフトに連結された吸引レセプタクルであって、前記組織内の部位から吸引された液体を受け入れるとともに保管するように構成されている、吸引レセプタクルを更に備える、請求項９の生検装置。
【請求項１１】
前記遠位の嘴状アセンブリによって切除された順に、標本を連続的に受け入れて保管するように構成された標本保管マガジンを更に備える、請求項１の生検装置。
【請求項１２】
前記組織保管マガジンは、放射線透過性材料及びエコー透過性材料のうちの少なくとも一方を含む、請求項１１の生検装置。
【請求項１３】
前記組織保管マガジンは、内側の螺旋状標本輸送アセンブリを含む、請求項１１の生検装置。
【請求項１４】
少なくとも前記組織保管マガジンに連結された、真空源及び加圧空気源の少なくとも一方を更に備える、請求項１１の生検装置。
【請求項１５】
前記組織保管マガジンは、異なる長さの標本を受け入れるとともに保管するように構成されている、請求項１１の生検装置。
【請求項１６】
前記コアリング・輸送アセンブリの長手方向に対して実質的に平行に延びる取り外し可能なガイド要素をさらに備える、請求項１の生検装置。
【請求項１７】
前記取り外し可能なガイド要素はレーザを含む、請求項１６の生検装置。
【請求項１８】
前記取り外し可能なガイド要素は針及びワイヤの一方を含む、請求項１６の生検装置。
【請求項１９】
前記コアリング・輸送アセンブリは、長手方向軸を規定し外面及び内面を有する中空シャフトを備え、前記遠位の嘴状アセンブリは前記シャフトの遠位端に接続され、前記生検装置は、組織を切り取りながら前記中空シャフト及び前記遠位の嘴状アセンブリを前記長手方向軸に沿って移動させて、前記中空シャフト及び前記遠位の嘴状アセンブリの遠位の向きの移動範囲を選択的に長くするか又は短くするように構成されたキャリッジアセンブリをさらに備える、請求項１の生検装置。
【請求項２０】
前記中空シャフト及び前記遠位の嘴状アセンブリの前記移動範囲を選択的に長くするか又は短くすることは、前記組織から切り取られる前記標本の長さを対応して長くするか又は短くする、請求項１９の生検装置。
【請求項２１】
前記キャリッジアセンブリは、操作者によって手動で作動され、或いは、電気モータによって作動されるように構成されている、請求項１９の生検装置。
【請求項２２】
前記筒状のコアリング・輸送アセンブリは、第１の直径の長手方向内腔を含む中空シャフトを備え、前記遠位の嘴状アセンブリは、第１の蝶着された切り取り要素及び第２の蝶着された切り取り要素を含み、前記遠位の嘴状アセンブリは、前記第１及び第２の切り取り要素が組織から前記第１の直径よりも大きい第２の直径のコアを切り取るように動作する第１の形態、及び前記第１及び第２の切り取り要素が前記組織を通って移動し、前記コアを切除するように動作する第２の形態をとるように構成され、前記筒状のコアリング・輸送アセンブリは、切除された前記コアを圧縮して該圧縮されたコアを前記中空シャフトを通して輸送するようにさらに構成されている、請求項１の生検装置。
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
第１主表面を有する歪み硬化したポリマーフィルムと、
前記第１主表面に配置される第１ポリマー層と、
前記第１ポリマー層に配置される第２ポリマー層と、
を含むテクスチャー化フィルムであって、
前記第２ポリマー層が複数の突出領域を含み、前記突出領域のそれぞれが前記突出領域に隣接するコーティング厚さより大きい突出厚さを有し、
前記突出領域のそれぞれに接着された前記第１ポリマー層の第１厚さの一部が、少なくとも１つの隣接する突出領域間の前記第１ポリマー層の第２厚さより大きい、
テクスチャー化フィルム。
【請求項２】
ポリマーフィルムと前記ポリマーフィルムの第１主表面に配置された第１ポリマー層とを含む多層フィルムを提供する工程と、
前記第１ポリマー層に、前記ポリマーフィルムに対向する、不均一な厚さを有する第２ポリマー層を配置する工程と、
前記多層フィルムを伸張して、それぞれ前記第１ポリマー層に接着された複数の突出領域を形成する工程と、
を含む、フィルムをテクスチャー化する方法であって、
前記突出領域のそれぞれに接着された前記第１ポリマー層の第１厚さの一部が、少なくとも１つの隣接する突出領域間の前記第１ポリマー層の第２厚さより大きい、
フィルムのテクスチャー化方法。
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
薬剤ポンプ用の挿入機構であって、
内部チャンバを有する挿入機構ハウジングと、
マニホールドガイドリングによって分離される上側チャンバおよび下側チャンバを有するマニホールドガイドと、
最初に前記挿入機構ハウジングの前記内部チャンバ内において前記挿入機構ハウジングと前記マニホールドガイドリングとの間でエネルギー蓄積状態に保持される１つ以上の挿入付勢部材と、
前記マニホールドガイドの前記上側チャンバと柔軟に係合されるクリップと、
引き込み付勢部材、およびニードルの基端に接続されるハブであり、前記引き込み付勢部材が最初は前記ハブと前記マニホールドガイドとの間でエネルギー蓄積状態に保持されている、引き込み付勢部材およびハブと、
マニホールド、セプタム、およびカニューレであり、前記マニホールド内において前記セプタムと前記カニューレとの間の環状空間がマニホールドヘッダを形成しており、前記マニホールドが、前記マニホールドを通じて前記マニホールドヘッダへの流体経路を形成するマニホールド入口を含む、マニホールド、セプタム、およびカニューレと、
を備える挿入機構。
【請求項２】
前記挿入機構が２つの挿入付勢部材を備える、請求項１に記載の挿入機構。
【請求項３】
前記マニホールド入口が、流体導管に接続されるようになっている、請求項１または２に記載の挿入機構。
【請求項４】
前記挿入機構ハウジングの先端に接続されるベースを更に備える、請求項１〜３のいずれか一項に記載の挿入機構。
【請求項５】
前記マニホールドと前記挿入機構ハウジングの先端に接続されるベースとの間に接続固定される滅菌ブートを更に備える、請求項１〜４のいずれか一項に記載の挿入機構。
【請求項６】
前記挿入機構ハウジングの基端から前記内部チャンバ内へと延びる１つ以上のガイド突出部を更に備える、請求項１〜５のいずれか一項に記載の挿入機構。
【請求項７】
前記マニホールドガイドリングが、前記ガイド突出部と対応する１つ以上の貫通孔を有し、前記マニホールドガイドが、前記貫通孔と前記ガイド突出部との間の相互作用によって前記挿入機構ハウジングと摺動可能に係合されている、請求項１〜６のいずれか一項に記載の挿入機構。
【請求項８】
前記マニホールドガイドが、前記貫通孔と前記ガイド突出部との間の相互作用によって回転方向の位置合わせ状態に保たれている、請求項７に記載の挿入機構。
【請求項９】
前記カニューレを前記マニホールド内のシール固定された位置に維持するフェルールを更に備える、請求項１〜８のいずれか一項に記載の挿入機構。
【請求項１０】
前記クリップが１つ以上のアームを有し、前記アームのそれぞれが解放面とロックアウト面とを有する、請求項１〜９のいずれか一項に記載の挿入機構。
【請求項１１】
初期のロック形態では、前記引き込み付勢部材をエネルギー蓄積状態に維持するために前記解放面が前記ハブと係合しており、引き込み形態では、前記引き込み付勢部材のエネルギー解放を可能にするために前記解放面が前記ハブから離脱しており、それにより、前記ハブおよび前記ニードルが引き込まれており、前記ロックアウト面が、前記マニホールドガイドの基端側への移動を防止するために前記ガイド突出部の先端と係合している、請求項１０に記載の挿入機構。
【請求項１２】
安全統合機能を伴う薬剤送達ポンプであって、
ハウジングと、
起動機構、駆動機構、流体経路接続部、電源・制御システム、および、請求項１〜１１のいずれか一項に記載の挿入機構が上部に装着される、アセンブリプラットホームと、
前記挿入機構を前記アセンブリプラットホームに接続するためのベースと、
を備える、薬剤送達ポンプ。
【請求項１３】
請求項１〜１１のいずれか一項に記載の挿入機構を組み立てる方法であって、該方法が、
ｉ．ハブをニードルの基端に接続するステップと、
ｉｉ．前記ハブおよび前記ニードルをマニホールドガイドの内側上側チャンバ内へ挿入するステップであり、引き込み付勢部材が、前記マニホールドガイドと前記ハブとの間でエネルギー蓄積状態に保たれるとともに、クリップインタフェースにて前記マニホールドガイドに対して柔軟に接続固定されるクリップによってエネルギー蓄積状態に保たれる、ステップと、
ｉｉｉ．カニューレをマニホールド内に挿入するとともに、セプタムを前記カニューレと反対側の端部で前記マニホールド内に挿入して、前記セプタムと前記カニューレの間にマニホールドヘッダを形成し、その後、前記ニードルが、前記セプタムを貫通して最初は前記カニューレ内に少なくとも部分的に存在するように、前記マニホールド、前記セプタム、および前記カニューレを前記マニホールドガイドの下側チャンバ内に挿入するステップと、
ｉｖ．挿入付勢部材を挿入機構ハウジング内へ前記挿入機構ハウジングと前記ハウジングの内部へ基端から延びる１つ以上のガイド突出部との間に挿入するステップと、
ｖ．前記ガイド突出部が前記マニホールドガイドのマニホールドガイドリングの面上の対応する貫通孔を貫通して延びるように、前記マニホールドガイドを前記挿入機構ハウジング内へ挿入するステップであり、前記マニホールドガイドが基端方向へ並進されると、前記挿入付勢部材が、前記マニホールドガイドリングと接触してエネルギー蓄積状態になる、ステップと、
ｖｉ．前記挿入機構ハウジングの１つ以上のロックアウト窓よりも上側のポイントへの前記マニホールドガイドの並進時および前記挿入付勢部材の圧縮時に、１つ以上の対応するロックアウトピンを前記ロックアウト窓内へ配置し、前記マニホールドガイドと取り外し可能に係合させて、この位置に前記マニホールドガイドを保持し、前記挿入付勢部材をエネルギー蓄積状態に保持するステップと、
ｖｉｉ．ベースを前記挿入機構ハウジングの先端に取り付けて、構成要素を所定位置に保つステップと、
を備える方法。
【請求項１４】
滅菌ブートの基端を前記マニホールドに係合固定状態で取り付けるとともに、滅菌ブートの先端を前記ベースに係合固定状態で取り付けるステップを更に備える、請求項１３に記載の方法。
【請求項１５】
流体導管を前記マニホールドにマニホールド入口で取り付けるステップを更に備える、請求項１３または１４に記載の方法。